(57)【特許請求の範囲】
【請求項１】
扉又は扉枠に連結されるリンク機構と、
前記扉の開閉動作に応じて前記リンク機構を介して回転する回転軸を備えたメインドアクローザと、
前記回転軸の軸線方向に沿って並列に配置され、回転軸を備えた補助ドアクローザと、
前記メインドアクローザの回転軸と前記補助ドアクローザの回転軸を連結する連結部材と、を具備し、
前記連結部材は前記メインドアクローザの回転軸の回転にともなって回転し、前記回転軸の軸線方向と直交する方向に関して分割可能であることを特徴とするドアクローザ。
【請求項２】
扉又は扉枠に連結されるリンク機構と、
前記扉の開閉動作に応じて前記リンク機構を介して回転する回転軸を備えたメインドアクローザと、
前記回転軸の軸線方向に沿って並列に配置され、回転軸を備えた補助ドアクローザと、
前記メインドアクローザの回転軸と前記補助ドアクローザの回転軸を連結する連結部材と、
前記補助クローザの回転軸に取り付けられ、内部に前記メインドアクローザ及び補助ドアクローザの回転軸が挿入されるように前記連結部材を位置決めするためのスペーサと、
を具備し、
前記連結部材は、前記メインドアクローザ及び補助ドアクローザを前記扉に取り付けた後に前記補助ドアクローザの回転軸を内部に装着するように前記回転軸の軸線方向に移動可能であって、
前記連結部材は前記メインドアクローザの回転軸の回転にともなって回転することを特徴とするドアクローザ。
【請求項３】
前記連結部材の一端に弾性部材を備えていることを特徴とする請求項２に記載のドアクローザ。
【発明の詳細な説明】
【技術分野】
【０００１】
本願は、ドアクローザに関する。
【背景技術】
【０００２】
建物の玄関等に取り付けられる扉には、通常、ドアクローザが取り付けられている。このドアクローザには様々な構造のものが知られているが、一般に知られているドアクローザは、扉の開閉動作にともなって回転する回転軸に所定の負荷を付与し扉の開閉速度を制御する速度制御機構を含んで構成されている（特許文献１参照）。そして、当該制御機構でもって扉の開閉速度が調整される。
【０００３】
よって、ドアクローザは扉に応じて適宜その仕様に適したドアクローザが選択され、設置される。
【０００４】
【特許文献１】特許第３３４９６７５号公報
【発明の開示】
【発明が解決しようとする課題】
【０００５】
しかしながら、扉を取り替えた場合などには、その扉に応じたドアクローザに取り替えなければならないが、既設のドアクローザをそのまま使用できれば、コストの低減にも役立ち便利である。
【０００６】
そこで、本発明は上記問題を課題の一例として為されたもので、容易に複数のドアクローザを連結可能なドアクローザを提供することを目的とする。
【課題を解決するための手段】
【０００７】
上記課題を解決するために、請求項１に記載のドアクローザ（Ｃ１）は、扉（Ｄ）又は扉枠（４）に連結されるリンク機構（Ｌ）と、前記扉の開閉動作に応じて前記リンク機構を介して回転する回転軸（１１）を備えたメインドアクローザ（１０）と、前記回転軸の軸線方向に沿って並列に配置され、回転軸（２１）を備えた補助ドアクローザ（２０）と、前記メインドアクローザの回転軸と前記補助ドアクローザの回転軸を連結する連結部材（３０）と、を具備し、前記連結部材は前記メインドアクローザの回転軸の回転にともなって回転し、前記回転軸の軸線方向と直交する方向に関して分割可能であることを特徴とする。
【０００８】
また、請求項２に記載のドアクローザ（Ｃ３）は、扉又は扉枠に連結されるリンク機構と、前記扉の開閉動作に応じて前記リンク機構を介して回転する回転軸を備えたメインドアクローザと、前記回転軸の軸線方向に沿って並列に配置され、回転軸を備えた補助ドアクローザと、前記メインドアクローザの回転軸と前記補助ドアクローザの回転軸を連結する連結部材（５０等）と、前記補助クローザの回転軸に取り付けられ、内部に前記メインドアクローザ及び補助ドアクローザの回転軸が挿入されるように前記連結部材を位置決めするためのスペーサ（５５）と、を具備し、前記連結部材は、前記メインドアクローザ及び補助ドアクローザを前記扉に取り付けた後に前記補助ドアクローザの回転軸を内部に装着するように前記回転軸の軸線方向に移動可能であって、前記連結部材は前記メインドアクローザの回転軸の回転にともなって回転することを特徴とする。
【０００９】
また、請求項３に記載のドアクローザは、請求項２に記載のドアクローザにおいて、前記連結部材の一端に弾性部材（５７等）を備えていることを特徴とする。
【発明の効果】
【００１０】
本発明によれば、複数のドアクローザを容易に連結することが可能である。また、既設のドアクローザに新たなドアクローザを容易に追加して設置することが可能である。
【発明を実施するための最良の形態】
【００１１】
以下、本発明の最良の実施形態について添付図面に基づいて説明する。
【００１２】
−第１実施形態−
まず、図１及び図２を参照して、本実施形態におけるドアクローザの構成について説明する。図１は本実施形態に係るドアクローザの構成を示す斜視図、図２は本実施形態に係るドアクローザの連結構造を示し、図２（ａ）は正面図、図２（ｂ）は右側面図である。
【００１３】
図１に示すように、ドアクローザＣ１は、複数のクローザ本体１と、リンク機構Ｌと、当該複数のクローザ本体１を連結する連結部材３０と、を備えている。
【００１４】
クローザ本体１は、ヒンジ２を介して扉枠４に開閉可能に取り付けられた扉Ｄに取付板６によって固定される。取付板６は、その長さ方向の一端部が折り返されてなる折り返し片６ａと、他端部が折り曲げられてなる曲折片６ｂと、を有している。一方、クローザ本体１の長さ方向の一端には、当該折り返し片６ａと係合する係合部（図示なし）が設けられている。当該クローザ本体１を取付板６に取り付ける場合には、当該係合部を折り返し片６ａに係合させ、クローザ本体１の他端面を曲折片６ｂと重ね合わせてネジなどの固定部材により固定する。
【００１５】
クローザ本体１は、それぞれが直方体形状の筐体１０ａ、２０ａを有しており、当該筐体１０ａ、２０ａには回転軸１１、２１が上方から下方に向かって貫通して設けられている。筐体１０ａ、２０ａの内部には、扉Ｄの回転動作にともなって回転軸１１、２１に所定の負荷を付与し扉の開閉速度を制御する速度制御機構が内蔵されている。また、筐体１０ａ、２０ａの外側には当該速度制御機構を制御するための図示せぬ速度調整弁が設けられており、当該速度調整弁を調整することによって、扉Ｄの開閉速度を制御可能となっている。なお、ドアクローザの速度制御機構に関しては、一般のドアクローザに用いられているものと同様であるため説明を省略するものとする。
【００１６】
クローザ本体１は、リンク機構Ｌの一端側と回転軸１１を介して連結されるメインドアクローザ本体１０と、当該回転軸１１の軸線方向に沿って当該メインドアクローザ１０の下方に並列に配置される補助ドアクローザ本体２０と、を備えている。当該メインドアクローザ本体１０及び補助ドアクローザ本体２０は、双方の回転軸１１、２１を連結する連結部材３０を介して連結される。
【００１７】
この連結部材３０は、筒状に形成され、その軸線方向に直交する方向に関して分割可能に形成されている。具体的には、連結部材３０は、図２に示すように、断面が略コ字状に形成された本体３１と、当該本体３１の開口３１ａを塞ぐ蓋体３３と、当該蓋体３３を本体３１に着脱可能に固定する固定部材３５と、を備えている。
【００１８】
連結部材３０は、本体３１に蓋体３３を取り付けることによって、その全体が筒状に形成され、その内部の断面形状は双方の回転軸１１、２１の断面形状に対応して形成されている。
【００１９】
一方、リンク機構Ｌの他端側は、ピン８により扉枠４に位置決めされて取り付けられたブラケット９と連結される。
【００２０】
このように構成されたドアクローザＣ１は、扉Ｄの開閉動作に応じてリンク機構Ｌを介してメインドアクローザ本体１０の回転軸１１が回転すると、その回転にともなって連結部材３３が回転しその回転力が補助ドアクローザ本体２０の回転軸２１に伝達され、補助ドアクローザ本体２０の回転軸２１が回転する。
【００２１】
よって、扉Ｄの開閉速度を制御する場合において、メインドアクローザ本体１０に内蔵されている速度制御機構に加えて、補助ドアクローザ本体２０に内蔵されている速度制御機構を利用して前記扉Ｄの開閉速度を調整することが可能となる。
【００２２】
また、ドアクローザＣ１は、扉の変更などにより、既設のドアクローザをその扉の変更などに対応して大きなドアクローザとしなければならないときなどでも、既設のドアクローザに補助ドアクローザを追加して設置することによって、変更された扉に対応することが可能となる。また、既設のドアクローザに新たなドアクローザを設置する場合には、新たなドアクローザを既設のドアクローザの下方に並列に配置し、連結部材３０で双方の回転軸を連結するだけでよいため、作業者の負担を軽減できるとともに、迅速に作業を行うことが可能となる。
【００２３】
さらに、連結部材３０は、その軸線方向に直交する方向に関して分割されているため、既設のドアクローザと新たなドアクローザとを取付板６を介して扉Ｄに設置した状態で双方の回転軸を連結可能となっており、容易に双方の回転軸に連結部材を取り付けることが可能となっている。
【００２４】
次に、扉ＤへのドアクローザＣ１の装着方法について図１を用いて説明する。
【００２５】
まず、扉Ｄに取付板６を位置決めして取り付け、当該取付板６にメインドアクローザ本体１０と補助ドアクローザ本体２０を装着する。
【００２６】
次に、メインドアクローザ本体１０と補助ドアクローザ本体２０の間に突出する双方の回転軸１１、２１を覆うように連結部材３０を取り付ける。
【００２７】
そして、リンク機構部Ｌをメインドアクローザ本体１０の回転軸１１に連結するとともに、扉枠４にブラケット９を位置決めして取り付け、ピン８を用いて当該ブラケット９にリンク機構Ｌの他端を取り付けて、扉ＤへのドアクローザＣ１の装着作業を終了する。
【００２８】
このように本実施形態のドアクローザＣ１に用いられる連結部材３０はその軸線方向に直交する方向に関して分割されているため、メインドアクローザ本体１０と補助ドアクローザ本体２０を取付板６を介して扉Ｄに位置決めして取り付けた後に連結部材３０を双方の回転軸１１、２１に容易に取り付けることが可能となっており、ドアクローザＣ１の取り付け作業による作業者の負担を軽減することができる。
【００２９】
次に、連結部材の他の実施形態について図３乃至図５を用いて説明する。図３は第２実施形態に係るドアクローザの連結構造を示し、図３（ａ）は正面図、図３（ｂ）は右側面図、図４は第３実施形態に係るドアクローザの連結構造を示し、図４（ａ）は連結部材を取り付け中の状態を示す図、図４（ｂ）は連結部材を取り付けた後の状態を示す図、図５は第４実施形態に係るドアクローザの連結構造を示し、図５（ａ）は連結部材を取り付け中の状態を示す図、図５（ｂ）は連結部材を取り付けた後の状態を示す図である。
【００３０】
−第２実施形態−
第１実施形態の連結部材３０は軸線方向に直交する方向に関して完全に分割されているのに対して、本実施形態のドアクローザＣ２に用いられる連結部材４０は、一部がその軸線方向に直交する方向に関して分割されている点で異なるものである。なお、以下の説明において、図１及び図２と同一部分には同一符号を付するものとしその説明は省略する。
【００３１】
本実施形態の連結部材４０は、図３に示すように、下方の一部に切欠部４１ａが形成されたリング状の本体４１と、当該切欠部４１ａを塞ぐ蓋体４２と、当該蓋体４２を前記切欠部４１ａに固定する固定部材４３と、を備えている。また、当該切欠部４１ａは、補助ドアクローザ本体２０の回転軸２１を挿抜可能に形成されている。
【００３２】
連結部材４０は、本体４１に蓋体４２を取り付けることによって、その全体が筒状に形成され、その内部の断面形状は双方の回転軸１１、２１の断面形状に対応して形成されている。
【００３３】
連結部材４０を取り付ける際には、メインドアクローザ本体１０を取付板６を介して扉Ｄに位置決めして取り付けた後に当該メインドアクローザ本体１０の回転軸１１に本体４１を取り付けるとともに、補助ドアクローザ本体２０の回転軸２１を切欠部４１ａから挿入して当該補助ドアクローザ本体２０を取付板６を介して扉Ｄに位置決めして取り付け、固定具４３により蓋体４２を当該切欠部４１ａに固定する。このようにして、連結部材４０は、双方の回転軸１１、２１の周囲を覆うように装着され、メインドアクローザ本体１０と補助ドアクローザ本体２０とが連結される。
【００３４】
このように本実施形態のドアクローザＣ２に用いられる連結部材４０は、その一部がその軸線方向に直交する方向に関して分割されているため、メインドアクローザ本体１０を取付板６を介して扉Ｄに取り付けた後に、連結部材４０を双方の回転軸１１、１２に容易に取り付けることが可能となっており、ドアクローザＣ２の取り付け作業による作業者の負担を軽減することができる。
【００３５】
そして、第１実施形態と同様に、ドアクローザＣ２は、扉Ｄの開閉動作に応じてリンク機構Ｌを介してメインドアクローザ本体１０の回転軸１１が回転すると、その回転にともなって連結部材４０も回転しその回転力が補助ドアクローザ本体２０の回転軸に伝達され、補助ドアクローザ本体２０の回転軸２１が回転するようになっている。
【００３６】
−第３実施形態−
第１及び第２実施形態の連結部材３０、４０は分割されているのに対して、本実施形態のドアクローザＣ３に用いられる連結部材５０は、分割されていない点で異なるものである。なお、以下の説明において、図１及び図２と同一部分には同一符号を付するものとしその説明は省略する。
【００３７】
本実施形態の連結部材５０は、図４に示すように、筒状に形成された本体５１を有しており、その内部の断面形状は双方の回転軸１１、２１の断面形状に対応して形成される。また、当該連結部材５０の内部は、断面形状が双方の回転軸１１、２１の形状よりも少し大きく形成されており、当該連結部材５０を装着した際に、双方の回転軸１１、２１の軸線方向に自由に移動可能になっている。
【００３８】
また、本実施形態は、回転軸１１、２１に対して連結部材５０を取り付ける際に、当該連結部材５０の下方に配置される筒状のスペーサ５５を備えている。そして、連結部材５０を取り付ける際には、予めメインドアクローザ本体１０の回転軸１１に連結部材５０を取り付け、補助ドアクローザ本体２０の回転軸２１にスペーサ５５を取り付けた状態で、メインドアクローザ本体１０及び補助ドアクローザ本体２０を取付板６を介して扉Ｄに位置決めして取り付け、その後、連結部材５０をその軸線方向に沿って下方に移動し、連結部材５０の内部に補助ドアクローザ本体２０の回転軸２１を装着する。このようにして取り付けられた連結部材５０は、スペーサ５５によって位置決めされ、図４（ｂ）に示すように、メインドアクローザ本体１０の回転軸１１と補助ドアクローザ本体２０の回転軸２１とが連結部材５０の内部に配置された状態で装着される。また、何らかの要因により連結部材５０の上方への移動によって、補助ドアクローザ本体２０の回転軸２１が連結部材５０から抜けるのを防止するため、図４（ｂ）に示すように、連結部材５０の上方には略コの字状の弾性部材５７を配置することが好ましい。当該弾性部材５７は、弾性体で構成され、回転軸１１に対してその弾性力でもって保持される。
【００３９】
このように第３実施形態のドアクローザＣ３は、メインドアクローザ本体１０及び補助ドアクローザ本体２０を取付板６を介して扉Ｄに取り付けた後に、補助ドアクローザ本体２０の回転軸２１を連結部材５０の内部に装着するように連結部材５０を回転軸１１の軸線方向に移動可能であるので、メインドアクローザ本体１０と補助ドアクローザ本体２０を取付板６を介して扉Ｄに位置決めして取り付けた後に連結部材５０を双方の回転軸１１、２１に容易に取り付けることが可能となっており、ドアクローザＣ３の取り付け作業による作業者の負担を軽減することができる。
【００４０】
そして、このように構成されたドアクローザＣ３は、第１及び第２実施形態と同様に、扉Ｄの開閉動作に応じてリンク機構Ｌを介してメインドアクローザ本体１０の回転軸１１が回転すると、その回転にともなって連結部材５０も回転し、その回転力が補助ドアクローザ本体２０の回転軸２１に伝達され、補助ドアクローザ本体２０の回転軸２１が回転するようになっている。
【００４１】
−第４実施形態−
本実施形態のドアクローザＣ４に用いられる連結部材６０は、回転軸１１に対して一時的に固定可能な固定手段を備えている点で第３実施形態とは異なるものである。なお、以下の説明において、図１及び図２と同一部分には同一符号を付するものとしその説明は省略する。
【００４２】
本実施形態の連結部材６０は、図５に示すように、筒状に形成された本体６１を有しており、その内部の断面形状は双方の回転軸１１、２１の断面形状に対応して形成される。また、当該連結部材６０の内部は、断面形状が双方の回転軸１１、２１の形状よりも少し大きく形成されており、当該連結部材６０を装着した際に、双方の回転軸１１、２１の軸線方向に自由に移動可能になっている。また、本体６１の側面には、内部と連絡する貫通孔６２が形成され、当該貫通孔６２には、ネジ部材（図示なし）が取り付けられる。連結部材６０を装着する際に、このネジ部材の先端を回転軸１１に当接させることにより、当該回転軸１１に連結部材６０を一時的に保持させることが可能となる。さらに、本体６１の上面には、例えば、バネ部材など弾性部材６３が設けられている。
【００４３】
また、本実施形態は、回転軸１１、２１に対して連結部材６０を取り付ける際に、当該連結部材６０の下方に配置される筒状のスペーサ５５を備えている。そして、連結部材６０を取り付ける際には、予めメインドアクローザ本体１０の回転軸１１に連結部材６０をネジ部材を用いて取り付け、補助ドアクローザ本体２０の回転軸２１にスペーサ５５を取り付けた状態で、メインドアクローザ本体１０及び補助ドアクローザ本体２０を取付板６を介して扉Ｄに位置決めして取り付け、その後、ネジ部材を取り除いて連結部材６０をその軸線方向に沿って下方に移動し、連結部材６０の内部に補助ドアクローザ本体２０の回転軸２１を装着する。このようにして取り付けられた連結部材６０は、スペーサ５５によって位置決めされ、図５（ｂ）に示すように、メインドアクローザ本体１０の回転軸１１と補助ドアクローザ２０の回転軸２１とが連結部材６０の内部に配置された状態で装着される。また、本実施形態の連結部材６０は、上面に弾性部材６３が設けられているため、何らかの要因により連結部材６０が上方へ移動しても当該弾性部材６３によりその移動が阻止されるため、補助ドアクローザ本体２０の回転軸２１が連結部材６０から抜けるのを防止できる。
【００４４】
このように構成されたドアクローザＣ４は、メインドアクローザ本体１０及び補助ドアクローザ本体２０を取付板６を介して扉Ｄに取り付けた後に、補助ドアクローザ本体２０の回転軸２１を連結部材６０の内部に装着するように連結部材６０を回転軸１１の軸線方向に移動可能であるので、メインドアクローザ本体１０と補助ドアクローザ本体２０を取付板６を介して扉Ｄに位置決めして取り付けた後に連結部材６０を双方の回転軸１１、２１に容易に取り付けることが可能となっており、ドアクローザＣ４の取り付け作業による作業者の負担を軽減することができる。
【００４５】
そして、このように構成されたドアクローザＣ４は、第１乃至第３実施形態と同様に、扉Ｄの開閉動作に応じてリンク機構Ｌを介してメインドアクローザ本体１０の回転軸１１が回転すると、その回転にともなって連結部材６０も回転し、その回転力が補助ドアクローザ本体２０の回転軸２１に伝達され、補助ドアクローザ本体２０の回転軸２１が回転するようになっている。
【００４６】
なお、本実施形態は一形態であって、この形態に限定されるものではなく、例えば、補助ドアクローザ本体２０の下方に更に補助ドアクローザ本体２０を連結部材３０等にて取り付けるようにしても構わない。
【図面の簡単な説明】
【００４７】
【図１】第１実施形態に係るドアクローザの構成を示す斜視図である。
【図２】第１実施形態に係るドアクローザの連結構造を示し、図２（ａ）は正面図、図２（ｂ）は右側面図である。
【図３】第２実施形態に係るドアクローザの連結構造を示し、図３（ａ）は正面図、図３（ｂ）は右側面図である。
【図４】第３実施形態に係るドアクローザの連結構造を示し、図４（ａ）は連結部材を取り付け中の状態を示す図、図４（ｂ）は連結部材を取り付けた後の状態を示す図である。
【図５】第４実施形態に係るドアクローザの連結構造を示し、図５（ａ）は連結部材を取り付け中の状態を示す図、図５（ｂ）は連結部材を取り付けた後の状態を示す図である。
【符号の説明】
【００４８】
Ｃ１、Ｃ２、Ｃ３、Ｃ４  ドアクローザ
Ｄ  扉
Ｌ  リンク機構
４  扉枠
１０  メインドアクローザ本体
２０  補助ドアクローザ本体
３０、４０、５０、６０  連結部材
５５  スペーサ
５７、６３  弾性部材
【図１】
0004977578.tif 000002
【図２】
0004977578.tif 000003
【図３】
0004977578.tif 000004
【図４】
0004977578.tif 000005
【図５】
0004977578.tif 000006